【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
表面反応炭酸カルシウムを製造するための方法であって、
ａ）炭酸カルシウム含有材料の水性懸濁液を提供するステップ、
ｂ）リン酸を提供するステップ、
ｃ）構造式（Ｉ）
【化１】
2019527666.tif 000001
（式中、
ｎは１、２又は３であり、
Ｘは、−ＣＨ２−、−ＣＨＲａ−、−ＣＲａＲｂ、又は−ＣＲａ＝ＣＲｂ（ｃｉｓ）−であり、
Ｒａ及びＲｂは、Ｈ、ＯＨ、ＯＲｃ、−ＣＨ３、−ＣＨ２ＣＨ３、−ＣＨ２ＣＨ２ＣＨ３、−ＣＨ（ＣＨ３）２、ｔＢｕ、ｓｅｃＢｕ及びｎＢｕからなる群から独立して選択され、Ｒｃは、Ｌｉ、Ｎａ、又はＫである。）の少なくとも１種のジカルボン酸又はその対応する塩を提供するステップ、並びに
ｄ）二酸化炭素の存在下でステップｂ）の前記リン酸をステップａ）の前記炭酸カルシウム含有材料にリン酸添加期間ΔｔＰにわたって添加して、表面反応炭酸カルシウムの水性懸濁液を形成するステップ
を含み、
前記二酸化炭素が、リン酸の前記添加によりその場で形成され、及び／又は外部源から供給され、及び
ステップｄ）において、ステップｃ）の前記少なくとも１種のジカルボン酸又はその対応する塩が、前記リン酸添加期間ΔｔＰの間に添加される
方法。
【請求項２】
ステップｃ）において、前記構造式（Ｉ）の少なくとも１種のジカルボン酸が提供される、請求項１に記載の方法。
【請求項３】
Ｒａ及びＲｂが、Ｈ及びＯＨからなる群から独立して選択される、請求項１又は２に記載の方法。
【請求項４】
前記炭酸カルシウム含有材料が、天然粉砕炭酸カルシウム及び／若しくは沈降炭酸カルシウムである、請求項１〜３のいずれか一項に記載の方法。
【請求項５】
前記天然粉砕炭酸カルシウムが、大理石、白亜、石灰石及びそれらの混合物からなる群から選択され、並びに／又は前記沈降炭酸カルシウムが、アラゴナイト、バテライト若しくはカルサイト結晶形を有する沈降炭酸カルシウム、及びそれらの混合物からなる群から選択される、請求項４に記載の方法。
【請求項６】
前記炭酸カルシウム含有材料が、０．０５〜１０μｍの重量中央粒径ｄ５０（重量）、及び／又は０．１５〜５５μｍのトップカット粒径ｄ９８（重量）を有する粒子の形態である、請求項１〜５のいずれか一項に記載の方法。
【請求項７】
前記炭酸カルシウム含有材料が、０．２〜５．０μｍの重量中央粒径ｄ５０（重量）、及び／又は１〜３０μｍのトップカット粒径ｄ９８（重量）を有する粒子の形態である、請求項１〜５のいずれか一項に記載の方法。
【請求項８】
前記リン酸が、前記炭酸カルシウム含有材料の総重量に基づいて、１〜６０重量％の量で提供される、請求項１〜７のいずれか一項記載の方法。
【請求項９】
前記リン酸が、前記炭酸カルシウム含有材料の総重量に基づいて、５〜５５重量％の量で提供される、請求項１〜７のいずれか一項記載の方法。
【請求項１０】
前記構造式（Ｉ）の少なくとも１種のカルボン酸が、任意選択で１種以上のメチル及び／又はエチル基で置換されている、マレイン酸、マロン酸、リンゴ酸、酒石酸、及びそれらの混合物からなる群から選択される、請求項１〜９のいずれか一項に記載の方法。
【請求項１１】
前記構造式（Ｉ）の少なくとも１種のカルボン酸が、リンゴ酸及び／又は酒石酸から選択される、請求項１〜９のいずれか一項に記載の方法。
【請求項１２】
前記少なくとも１種のジカルボン酸又はその対応する塩が、前記炭酸カルシウム含有材料の総重量に基づいて、０．１〜５０重量％の量で提供される、請求項１〜１１のいずれか一項に記載の方法。
【請求項１３】
前記少なくとも１種のジカルボン酸又はその対応する塩が、前記炭酸カルシウム含有材料の総重量に基づいて、０．２〜２５重量％の量で提供される、請求項１〜１１のいずれか一項に記載の方法。
【請求項１４】
前記少なくとも１種のジカルボン酸又はその対応する塩が、前記リン酸の総重量に基づいて、１〜２５重量％の量で提供される、請求項１〜１３のいずれか一項に記載の方法。
【請求項１５】
前記少なくとも１種のジカルボン酸又はその対応する塩が、前記リン酸の総重量に基づいて、３〜１７重量％の量で提供される、請求項１〜１３のいずれか一項に記載の方法。
【請求項１６】
ステップｄ）において、前記リン酸及び前記少なくとも１種の弱カルボン酸若しくはその対応する塩が、混合物の形態で一緒に添加される、又は、ステップｄ）において、前記リン酸及び前記少なくとも１種の弱カルボン酸若しくはその対応する塩が、別個の流れの形態で同時に添加される、請求項１〜１５のいずれか一項に記載の方法。
【請求項１７】
前記少なくとも１種のジカルボン酸又はその対応する塩が、前記リン酸添加期間ΔｔＰの開始時ｔ０と前記リン酸添加期間ΔｔＰの６０％が経過する前との間に添加される、請求項１〜１６のいずれか一項に記載の方法。
【請求項１８】
前記少なくとも１種のジカルボン酸又はその対応する塩が、前記リン酸添加期間ΔｔＰの開始時ｔ０と前記リン酸添加期間ΔｔＰの５０％が経過する前との間に添加される、請求項１〜１６のいずれか一項に記載の方法。
【請求項１９】
前記少なくとも１種のジカルボン酸又はその対応する塩が、ジカルボン酸添加期間ΔｔＤＡにわたって添加され、ΔｔＤＡが、総リン酸添加期間ΔｔＰの１〜２０％である、請求項１〜１８のいずれか一項に記載の方法。
【請求項２０】
前記少なくとも１種のジカルボン酸又はその対応する塩が、ジカルボン酸添加期間ΔｔＤＡにわたって添加され、ΔｔＤＡが、総リン酸添加期間ΔｔＰの２〜１５％である、請求項１〜１８のいずれか一項に記載の方法。
【請求項２１】
ステップｄ）が、２０〜９０℃の温度で行われる、請求項１〜２０のいずれか一項に記載の方法。
【請求項２２】
ステップｄ）が、３０〜８５℃の温度で行われる、請求項１〜２０のいずれか一項に記載の方法。
【請求項２３】
追加のジカルボン酸が、ステップｄ）の間に添加される、請求項１〜２２のいずれか一項に記載の方法。
【請求項２４】
追加のジカルボン酸が、ステップｄ）の間に、前記少なくとも１種のジカルボン酸又はその対応する塩と一緒に添加される、請求項１〜２２のいずれか一項に記載の方法。
【請求項２５】
ステップｄ）で得られた前記水性懸濁液から前記表面反応炭酸カルシウムを分離するステップｅ）をさらに含み、及び任意選択で、前記表面反応炭酸カルシウムを乾燥させるステップｆ）をさらに含む、請求項１〜２４のいずれか一項に記載の方法。
【請求項２６】
請求項１〜２５のいずれか一項に記載の方法によって得ることができる表面反応炭酸カルシウム。
【請求項２７】
窒素及びＢＥＴ法を用いて測定して、５５ｍ２／ｇ〜２００ｍ２／ｇの比表面積（ＢＥＴ）を有する、並びに／又は、
重量で１：９９〜９９：１の範囲内のカルサイトに対するヒドロキシアパタイトの比を有する、請求項２６に記載の表面反応炭酸カルシウム。
【請求項２８】
窒素及びＢＥＴ法を用いて測定して、６０ｍ２／ｇ〜１９０ｍ２／ｇの比表面積（ＢＥＴ）を有する、並びに／又は、
重量で１：９９〜９９：１の範囲内のカルサイトに対するヒドロキシアパタイトの比を有する、請求項２６に記載の表面反応炭酸カルシウム。
【請求項２９】
ポリマー用途、紙コーティング用途、製紙、塗料、コーティング、シーラント、印刷インク、接着剤、食品、飼料、医薬品、コンクリート、セメント、化粧品、水処理、エンジニアリングウッド用途、石膏ボード用途、包装用途及び／又は農業用途における、請求項２６〜２８のいずれか一項に記載の表面反応炭酸カルシウムの使用。
【請求項３０】
紙製品、エンジニアリングウッド製品、石膏ボード製品、ポリマー製品、衛生製品、医療製品、ヘルスケア製品、フィルタ製品、織物材料、不織物材料、ジオテキスタイル製品、農業製品、園芸製品、衣類、履物製品、手荷物製品、家庭用品、工業製品、包装製品、建築用製品及び建設用製品から選択される、請求項２６〜２８のいずれか一項に記載の表面反応炭酸カルシウムを含む物品。